(57)【要約】【課題】演出効果を向上させることができる流体噴出装置を提供する。【解決手段】噴水Ｗの表面の一部に乱流を発生させる乱流発生手段を備えた。具体的には、パルスポンプの吐出側に吐出管６２を介して滴下ノズル６３を接続し、この滴下ノズル６３の滴下口をノズル３１の下流側開口部の近傍に配置するようにした。そして、パルスポンプの駆動により滴下ノズル６３から水滴を層流状態の噴水Ｗの表面に所定のタイミングで滴下するようにした。水滴が滴下されることにより、噴水Ｗの表面には高輝度部が部分的に形成され、この高輝度部は噴水Ｗの流れに乗って移動する。従って、水滴の滴下タイミングを調節することにより、変化に富んだ噴水Ｗを自在に演出することができる。【選択図】        図２
2004188351.tif 000002
【特許請求の範囲】
【請求項１】
層流状態の噴出流体を噴き出す噴出口の上流側には噴出流体の内部に投光する発光部を配置するようにした流体噴出装置において、
前記噴出口の下流側には噴出流体の表面の一部に乱流を発生させる乱流発生手段を備えた流体噴出装置。
【請求項２】
前記乱流発生手段は層流状態の噴出流体の表面に流体を接触させる流体接触手段である請求項１に記載の流体噴出装置。
【請求項３】
前記噴出口の下流側には、噴出流体の噴出を間欠的に遮る遮断手段を備えるようにした請求項１又は請求項２に記載の流体噴出装置。
【請求項４】
前記遮断手段は、加圧された流体を噴出流体にその側方から吹き付ける流体吹付手段である請求項３に記載の流体噴出装置。
【請求項５】
前記流体吹付手段から流出させる流体の流量を、噴出流体の表面の一部に乱流を発生させるときの流量と、噴出流体の噴出を遮るときの流量との間で切換制御する流量制御手段を備え、
前記流体吹付手段により前記流体接触手段を兼用するようにした請求項４に記載の流体噴出装置。
【発明の詳細な説明】
【０００１】
【発明の属する技術分野】
本発明は、例えば噴水装置に使用される流体噴出装置に関するものである。
【０００２】
【従来の技術】
従来より、しぶきのない透明のガラス棒状の放物線軌道を描く水糸流を噴出すると共にこの水糸流に着色光を照射して発色させるようにした噴水装置が知られている。この噴水装置は噴射装置の噴出口の上流側に光ファイバケーブルからなる光源を配置し、この光源から水糸流の軸芯に沿って着色光を照射することにより水糸流を発色させるようにしている。ところが、この噴水装置においては光源から着色光を照射しても水糸流の噴出口部分及び着水部分だけ発色し、水糸流の途中部分は発色しないという問題があった。
【０００３】
この問題を解決するために、水糸流に光ファイバケーブルにより着色光を供給すると共にコンプレッサにより気泡を供給するようにした噴水装置が従来から提案されている。この噴水装置によれば、着色光は水糸流の軸心に沿って進むと共に水糸流内の気泡によって水糸流表面から内方への全反射が阻止される。この結果、着色光は水糸流の外方に放射し、水糸流は前記噴出口部分から着水部分までの全長にわたって発色する（例えば、特許文献１参照。）。
【０００４】
【特許文献１】
特開平８−２４３４５３号公報
【０００５】
【発明が解決しようとする課題】
ところが、前記従来の噴水装置から噴出された水糸流は単に放物線状に発色するだけであった。このため、色の変化や動き等の演出効果に乏しく、鑑賞者はすぐに飽きてしまうおそれがあった。
【０００６】
本発明は上記問題点を解決するためになされたものであって、その目的は、演出効果を向上させることができる流体噴出装置を提供することにある。
【０００７】
【課題を解決するための手段】
請求項１に記載の発明は、層流状態の噴出流体を噴き出す噴出口の上流側には噴出流体の内部に投光する発光部を配置するようにした流体噴出装置において、前記噴出口の下流側には噴出流体の表面の一部に乱流を発生させる乱流発生手段を備えたことを要旨とする。
【０００８】
請求項２に記載の発明は、請求項１に記載の発明において、前記乱流発生手段は層流状態の噴出流体の表面に流体を接触させる流体接触手段であることを要旨とする。
【０００９】
請求項３に記載の発明は、請求項１又は請求項２に記載の発明において、前記噴出口の下流側には、噴出流体の噴出を間欠的に遮る遮断手段を備えるようにしたことを要旨とする。
【００１０】
請求項４に記載の発明は、請求項３に記載の発明において、前記遮断手段は、加圧された流体を噴出流体にその側方から吹き付ける流体吹付手段であることを要旨とする。
【００１１】
請求項５に記載の発明は、請求項４に記載の発明において、前記流体吹付手段から流出させる流体の流量を、噴出流体の表面の一部に乱流を発生させるときの流量と、噴出流体の噴出を遮るときの流量との間で切換制御する流量制御手段を備え、前記流体吹付手段により前記流体接触手段を兼用するようにしたことを要旨とする。
【００１２】
（作用）
請求項１に記載の発明によれば、噴出流体の表面において乱流が発生した部分の輝度は乱流が発生していない部分よりも高くなる。このため、噴出流体の表面に乱流を発生させるタイミングを調節することにより変化に富んだ演出効果が得られる。
【００１３】
請求項２に記載の発明によれば、請求項１に記載の発明の作用に加えて、噴出流体の表面に流体が接触すると、この流体が接触した部分に乱流が発生し、この乱流が発生した部分の輝度が高まる。
【００１４】
請求項３に記載の発明によれば、請求項１又は請求項２に記載の発明の作用に加えて、噴出流体の噴出が間欠的に遮られることにより、噴出流体は間欠的に噴出する。このため、いっそう変化に富んだ噴出流体の演出が可能となる。
【００１５】
請求項４に記載の発明によれば、請求項３に記載の発明の作用に加えて、噴出流体にその側方から加圧された流体が吹き付けられることにより流体の噴出が遮られる。
【００１６】
請求項５に記載の発明によれば、請求項４に記載の発明の作用に加えて、流体吹付手段から流出する流体の流量は、前記噴出流体の表面の一部に乱流を発生させるときの流量と、噴出流体の噴出を遮るときの流量との間で切り換えられる。そして、流体吹付手段により前記流体接触手段を兼用するようにしたので、流体吹付手段と流体接触手段とを個別に設けるようにした場合に比べて部品点数が少なくなる。
【００１７】
【発明の実施の形態】
（第１実施形態）
以下、本発明を公園等に設置される噴水装置に具体化した第１実施形態を図１〜図４に従って説明する。
【００１８】
（全体構成）
図１に示すように、噴水装置１１は、図示しないタンクに貯留された水を圧送する給水ポンプ１２と、この給水ポンプ１２からの加圧水を層流状態で噴出する噴出装置１３とを備えている。噴出装置１３は水平面に対して所定の角度をなすように上向きに傾斜して配置されている。また、噴水装置１１は噴出装置１３から噴出する水（以下、「噴水Ｗ」という。）に入射させる着色光を生成する着色装置１４と、同じく噴水Ｗの表面に乱流を発生させる乱流発生装置１５とを備えている。給水ポンプ１２が駆動されると、前記タンク内の水は吸込管１６、給水ポンプ１２及び吐出管１７を介して噴出装置１３内に供給され、この噴出装置１３から斜め上方へ噴出する。この噴水Ｗは空中に放物線を描いて落下する。
【００１９】
尚、本実施形態において、層流とは流体の微小部分が規則正しく互いに層状をなしてすべり合いつつ流れるような状態をいう（一方向流）。乱流とは不規則な変動を伴った流れをいう（非一方向流）。
【００２０】
（噴出装置）
図２に示すように、噴出装置１３は有底円筒状の容器２１を備えており、この容器２１の内部には整流部２２( 図１参照) が収容されている。この整流部２２は例えば多孔質材( 図示略) と単数又は複数の整流体( 図示略) とを重ね合わせ、吐出管１７から圧送されてきた乱流状態の加圧水を前記多孔質材及び整流体に通過させることにより層流状態にする公知の構成である。多孔質材としては例えば不織布、グラスウール、連泡性を有するセラミックやスポンジ及び硬質発泡ウレタン等が使用される。整流体としては例えば多数の微細な網目を有するステンレス製の網体を微小間隔ごとに複数枚重ねることにより減衰通路を形成するようにしたものが使用されている。容器２１の上部開口部は蓋体２３により閉塞されている。即ち、容器２１の上部開口部周縁に形成されたフランジ２４の上面にパッキン２５を介して蓋体２３を重ね合わせ、上方からボルト２６を締め付けることにより蓋体２３はフランジ２４に固定されている。
【００２１】
（ノズル）
蓋体２３の中央部にはノズル取付孔２７が形成されており、このノズル取付孔２７にはノズル３１が着脱可能に取付けられている。ノズル３１は円筒状のノズル本体３２と、このノズル本体３２の外周面中央に形成されたフランジ３３とを備えている。ノズル本体３２の下端側を蓋体２３の外方から挿入し、フランジ３３の下面を蓋体２３の上面にパッキン３４を介して当接させた状態でフランジ３３の外方からボルト３５を締め付けることによりノズル３１は蓋体２３に固定されている。ノズル本体３２内には加圧水を噴出するノズル孔３６が形成されている。ノズル孔３６は、ノズル本体３２の上流側開口縁から中央部までは下流側に向かうにつれて拡径する円錐台状をなし、同じく中央部から下流側開口縁までは一定径の円柱状をなすように形成されている。
【００２２】
（カバー）
図２に示すように、蓋体２３の上面には有蓋円筒状のカバー４１がノズル３１を覆うように固定されている。カバー４１はノズル３１と同心状に配置された円筒状の側部カバー４２と、側部カバー４２の上部開口部を閉塞する上部カバー４３とを備えている。
【００２３】
図４に示すように、側部カバー４２の下端側開口縁には複数（本実施形態では、３つ）の固定部材４２ａがカバー４１の中心軸周方向に所定間隔毎に外方に突設されている。各固定部材４２ａはボルト２６により蓋体２３に共締め固定されており、これにより側部カバー４２は蓋体２３に固定されている。上部カバー４３の内面には複数（本実施形態では４つ）の固定壁４３ａが上部カバー４３の中心軸周方向に所定間隔毎に突設されており、各固定壁４３ａを側部カバー４２の下流側開口部に挿入し、側部カバー４２の側方からボルト４４を締め付けることにより上部カバー４３は側部カバー４２に固定されている。
【００２４】
図２及び図３に示すように、上部カバー４３の中央部には噴水Ｗの吐出口４５が形成されており、この吐出口４５の中心軸はノズル３１の中心軸と一致している。吐出口４５の内径は噴水Ｗの外径よりも大きくされている。また、図２及び図５に示すように、側部カバー４２には開口部４６が形成されている。カバー４１内において、開口部４６とノズル３１との間には飛散防止部材４７が開口部４６を内側から覆うようにして配置されている。この飛散防止部材４７としては例えば不織布により平断面円弧状に形成された不織布マットが使用される。
【００２５】
（着色装置）
図１に示すように、着色装置１４は暗室を構成する箱体( 図示略) を備えており、この箱体内には光ファイバケーブル５１の入射側端部が導入されている。光ファイバケーブル５１の入射側端面には円板状の回転部材( 図示略) を介して照明灯等の光源( 図示略) が対向配置されている。前記回転部材には例えば赤，燈，黄，緑，青，藍，菫（すみれ）の着色フィルタが回転部材の中心軸周方向に所定間隔毎に配置されており、モータ( 図示略) の駆動により回転部材を回転させることによって光ファイバケーブル５１に入射する光の色を変えることが可能とされている。
【００２６】
光ファイバケーブル５１の出射側端部は容器２１の底壁及び前記整流部２２をそれぞれ貫通している。光ファイバケーブル５１の出射側端面は発光部５１ａとされており、この発光部５１ａはノズル３１の上流側開口部に対向するように配置されている。また、発光部５１ａの中心軸がノズル３１の中心軸と一致するように光ファイバケーブル５１の出射側端部は容器２１内に導入されている。
【００２７】
（乱流発生装置）
図１に示すように、乱流発生装置１５はパルスポンプ６１及びこのパルスポンプ６１の吐出側に接続された吐出管６２を備えている。また、図２に示すように、乱流発生装置１５は吐出管６２の先端部に設けられた滴下ノズル６３を備えている。ノズル孔３６の下流側において、滴下ノズル６３の先端開口部（滴下口）がノズル３１から噴出する噴水Ｗに接触しない程度に滴下ノズル６３はカバー４１の側壁を貫通して内部に導入されている。滴下ノズル６３はその中心軸がノズル３１の中心軸と直交するように配置されている。パルスポンプ６１が駆動されると、前記タンク内の水は吸込管６４、パルスポンプ６１及び吐出管６２を介して滴下ノズル６３に供給され、この滴下ノズル６３の先端開口部から水滴（微量の水）が噴水Ｗの表面に滴下される。
【００２８】
（制御装置）
図１に示すように、噴水装置１１は制御装置７１を備えている。制御装置７１には給水ポンプ１２、パルスポンプ６１、着色装置１４のモータ及び同じく光源がそれぞれ入出力インターフェイスを介して接続されている。制御装置７１は外部操作による噴水開始信号を受信すると給水ポンプ１２を駆動し、噴出装置１３への給水を開始する。同時に、制御装置７１は外部操作により予め選択された演出パターンに応じてパルスポンプ６１及び着色装置１４のモータをそれぞれ駆動制御する。
【００２９】
尚、本実施形態において、噴出装置１３は流体噴出装置を構成する。ノズル孔３６は噴水Ｗの噴出口を構成する。滴下ノズル６３は噴水Ｗの表面の一部に乱流を発生させる乱流発生手段、及び噴水Ｗの表面に水滴（流体）を接触させる流体接触手段を構成する。噴水Ｗは噴出流体を構成する。
【００３０】
（実施形態の作用）
次に、前述のように構成した噴水装置の動作について説明する。
制御装置７１により給水ポンプ１２が駆動されると、前記タンク内の水は給水ポンプ１２により加圧され、この加圧された加圧水は吸込管１６、給水ポンプ１２及び吐出管１７を介して乱流状態で噴出装置１３の容器２１内に供給される。この容器２１内に供給された水は整流部２２を通過することにより整流され、ノズル３１のノズル孔３６から層流状態で噴出する。このノズル孔３６から噴出した水、即ち、噴水Ｗはカバー４１の吐出口４５から斜め上方に噴出し、飛沫や水流の乱れ等のないガラスロッド状の放物線軌道を空中に描いて落下する。
【００３１】
また、制御装置７１は着色装置１４の光源を点灯させると共に所定の演出パターンに応じてパルスポンプ６１及び着色装置１４のモータをそれぞれ駆動制御する。即ち、制御装置７１は所定色（例えば赤色）の着色フィルタが光源と光ファイバケーブル５１の入射側端部との間に介在するように着色装置１４のモータを駆動制御する。所定色に着色された光（着色光）は光ファイバケーブル５１の発光部５１ａから出射し、噴水Ｗの始端部に入射する。
【００３２】
この入射光は噴水Ｗの表面で内部への反射を繰り返しながら、又は噴水Ｗの表面で反射することなく噴水Ｗの中心軸に沿うようにして噴水Ｗの終端部に導かれる。換言すれば、発光部５１ａから出射した光は噴水Ｗの始端部から終端部まで伝送される。噴水Ｗは層流状態に保持されているので、ほとんどの光は噴水Ｗの内側に全反射するものの、噴水Ｗの表面に対する光の入射角度によっては光の一部が噴水Ｗの周囲に漏れる。このため、噴水Ｗはその全長に亘って入射光と同色に色付いて見える。
【００３３】
さらに、制御装置７１は所定の演出パターンに応じて所定数のパルスを所定の時間間隔毎にパルスポンプ６１へ送る。パルスポンプ６１の１パルス当りの吐出量は予め決められており、パルスポンプ６１は送られてきたパルス数に応じた量の水を吐出する。
【００３４】
層流状態の噴水Ｗの表面に水滴が滴下されると、この水滴が滴下された部分に流れの乱れ、即ち乱流が発生する。この乱流が発生した部分においては噴水Ｗの表面から内方への全反射が阻止されて乱反射し、噴水Ｗに入射された光は乱流が発生した部位から噴水Ｗの外方（周囲）に放射する。この結果、噴水Ｗの表面には層流状態に保持された部分よりも明るい高輝度部Ｗｓ（図１参照）が部分的に形成される。所定色に着色された光が噴水Ｗに入射された場合には高輝度部Ｗｓはその光の色に発色する。
【００３５】
高輝度部Ｗｓは時間の経過とともに噴水Ｗの流れ方向に移動し、視覚的には、あたかも光の塊が放物線軌道を描いて移動するように見える。制御装置７１は所定の演出パターンに従って噴水Ｗの表面の一部に乱流を発生させる時間間隔、即ち、滴下ノズル６３から水滴を滴下する時間間隔を調節する。これにより、噴水Ｗに一度に形成される高輝度部Ｗｓの個数（単数又は複数）が決まる。一度に複数個（図１では３個）の高輝度部Ｗｓを形成するようにした場合、各高輝度部Ｗｓはそれぞれ所定の間隔を保った状態で噴水Ｗの流れ方向に移動する。このため、噴水Ｗを単に放物線状に発色させるようにした場合と異なり、変化に富んだ噴水Ｗを演出することが可能となる。
【００３６】
尚、噴水装置１１では次のような演出動作も可能である。即ち、制御装置７１は予め選択された演出パターンに従って着色装置１４のモータを連続的に駆動させる。すると、光ファイバケーブル５１の入射側端部に入射する光の色は七色（虹色）に順次変化し、噴水Ｗ及びその高輝度部Ｗｓの色も七色に順次変化する。従って、噴水Ｗをその全長に亘って同じ色でのみ発色させるようにした場合と異なり、変化に富んだ噴水Ｗを演出することが可能となる。
【００３７】
また、制御装置７１は滴下ノズル６３からの水滴の滴下タイミングに合わせて着色装置１４の光源と光ファイバケーブル５１の入射側端部との間に介在させる着色フィルタの色を変える。例えば、複数の高輝度部Ｗｓを形成するようにした場合、水滴の滴下と着色フィルタの切り替えとをそれぞれ所定のタイミングで行うことにより各高輝度部Ｗｓ毎に色を変えることも可能となる。このようにしても、噴水Ｗをその全長に亘って同じ色でのみ発色させるようにした場合と異なり、変化に富んだ噴水Ｗを自由に演出することが可能となる。
【００３８】
（実施形態の効果）
従って、本実施形態によれば、以下の効果を得ることができる。
（１）噴水Ｗの表面の一部に乱流を発生させる乱流発生手段を備えた。具体的には、パルスポンプ６１の吐出側に吐出管６２を介して滴下ノズル６３を接続し、この滴下ノズル６３の滴下口をノズル３１の下流側開口部の近傍に配置するようにした。そして、パルスポンプ６１の駆動により滴下ノズル６３から水滴を層流状態で噴出する噴水Ｗの表面に所定のタイミングで滴下するようにした。水滴が滴下されることにより噴水Ｗの表面には高輝度部Ｗｓが部分的に形成され、この高輝度部Ｗｓは噴水Ｗの流れにのって移動する。従って、水滴の滴下タイミングを調節することにより、変化に富んだ噴水Ｗを自在に演出することができる。また、色の変化や光の動き等の多彩な演出効果が得られることにより、鑑賞者の飽きを抑制することができる。
【００３９】
（２）層流状態で噴出する噴水Ｗに水滴を接触させることにより、噴水Ｗの表面の一部に高輝度部Ｗｓを形成するようにした。このため、例えばエアシリンダの駆動により動作する接触部材を噴水Ｗの表面に接触させるように構成した場合に比べて、噴出装置１３、ひいては噴水装置１１の構成を簡単にすることができる。
【００４０】
（３）ノズル３１を着脱可能とした。このため、ノズル３１の交換を容易に行うことができる。また、ノズル孔３６の径が異なる複数種類のノズル３１を予め用意しておけば、ノズル３１を交換するだけで噴水装置１１の設置環境や演出の変更などに応じて、太さの異なる噴水Ｗを形成することができる。この場合、吐出口４５の径が異なる複数種類の上部カバー４３を予め用意しておき、噴水Ｗの太さに応じて上部カバー４３を交換する。尚、上部カバー４３は、必ずしも必要なものではなく設置環境や装着したときの外観等に応じて適宜装着される。
【００４１】
（第２実施形態）
次に、本発明の第２実施形態を説明する。本実施形態は噴出装置の構成の点で前記第１実施形態と異なる。従って、前記第１実施形態と同様の部材構成は同一の符号を付し、その重複した説明を省略する。
【００４２】
図５及び図６に示すように、噴水装置１１はノズル３１から噴出した噴水Ｗにその側方から加圧された水を吹き付ける流体吹付装置８１を備えている。この流体吹付装置８１は前記吐出管１７の途中に接続された分岐管８２と、この分岐管８２上に設けられた電磁弁８３と、分岐管８２の先端部に設けられた吹付ノズル８４（図６参照）とを備えている。吹付ノズル８４の先端開口部がノズル３１から噴出する噴水Ｗに接触しない程度に吹付ノズル８４はカバー４１の側壁を貫通して内部に導入されている。吹付ノズル８４はその中心軸がノズル３１の中心軸と直交するように配置されている。
【００４３】
電磁弁８３が開弁されると、前記タンク内の水は吸込管１６、給水ポンプ１２、吐出管１７及び分岐管８２を介して吹付ノズル８４に供給され、この吹付ノズル８４の先端開口部から噴出する。この噴出した水は給水ポンプ１２により所定の圧力に加圧されており、この加圧された加圧水が噴水Ｗの側方から吹き付けられることにより当該噴水Ｗが遮られる。この結果、ノズル３１からの噴水Ｗは吐出口４５から外部に噴出不能となる。ノズル３１及び吹付ノズル８４からそれぞれ流出した水はカバー４１により外部に散乱することなく開口部４６を介して外部に排出される。尚、本実施形態において、吹付ノズル８４は噴水Ｗの噴出を間欠的に遮る遮断手段及び加圧された流体を噴水Ｗにその側方から吹き付ける流体吹付手段を構成する。
【００４４】
さて、噴水装置１１は例えば次のような演出動作を行う。即ち、制御装置７１は所定のタイミングでパルスポンプ６１を駆動して、滴下ノズル６３から水滴を噴水Ｗの表面に滴下する。すると、この水滴を滴下した部分に高輝度部Ｗｓが形成される。そして、所定時間経過後、制御装置７１は電磁弁８３を開弁する。すると、吹付ノズル８４から加圧水が噴出され、この加圧水により噴水Ｗが遮断される。この水滴の滴下と噴水Ｗの遮断とを制御装置７１は所定の時間間隔毎に繰り返す。
【００４５】
図５に示すように、高輝度部Ｗｓを形成してから噴水Ｗを遮断（分断）することを繰り返すことにより、頭部に高輝度部Ｗｓを有した噴水Ｗが間欠的に噴出装置１３から噴出する。ただし、間欠的に噴出された各噴水Ｗは放物線の頂点付近に至るまでは高輝度部Ｗｓが維持されるものの、その後は高輝度部Ｗｓが消滅した状態で落下する。頭部に高輝度部Ｗｓを有した噴水Ｗの噴出時間間隔や各噴水Ｗの長さは噴水Ｗの遮断時間、即ち電磁弁８３の開弁時間を調節することにより変更可能とされている。
【００４６】
従って、本実施形態によれば、噴水装置１１に流体吹付装置８１を備え、この流体吹付装置８１を構成する吹付ノズル８４から噴出させた加圧水により噴水Ｗを遮断するようにした。このため、例えば所定長さの噴水Ｗを間欠的に噴出させることにより噴水Ｗに躍動感が得られる。従って、噴水Ｗを単にアーチ状に維持するようにした場合に比べて、噴水Ｗの演出効果を向上させることができる。また、例えばエアシリンダ等で邪魔板を進退移動させることにより噴水Ｗを遮断（分断）する機械方式を採用するようにした場合と異なり、噴出装置１３の構成を簡単にすることができる。
【００４７】
尚、前記吹付ノズル８４の開口形状を、噴水Ｗの噴出方向（噴水Ｗの中心軸に沿う方向）と直交する方向に扁平した例えば楕円形状としてもよい。このようにすれば、前記開口部から噴出する加圧水の形状は、噴水Ｗの直径より大きめの開放角度を有する扇状となり、噴水Ｗをより的確に分断することができる。
【００４８】
（第３実施形態）
次に、本発明の第３実施形態を説明する。本実施形態は流体吹付装置により乱流発生装置を兼用するようにした点で前記第２実施形態と異なる。従って、前記第２実施形態と同様の部材構成は同一の符号を付し、その重複した説明を省略する。
【００４９】
図７及び図８に示すように、制御装置７１は吹付ノズル８４から流出させる水量を調節することにより噴水Ｗの表面における乱流発生と噴水Ｗの遮断とをそれぞれ行う。即ち、制御装置７１は所定のタイミングで且つ所定の開度（吹付ノズル８４の先端開口部から水滴が滴下する程度の開度）で電磁弁８３を開弁する。すると、吹付ノズル８４の先端開口部からの水滴が噴水Ｗの表面に滴下し、この水滴が滴下された部分に高輝度部Ｗｓが形成される。
【００５０】
そして、所定時間経過後、制御装置７１は噴水Ｗを遮断（分断）可能な水圧が得られる程度に電磁弁８３を開弁（例えば全開）する。すると、吹付ノズル８４から加圧水が噴出され、この加圧水により噴水Ｗが遮断される。この水滴の滴下と噴水Ｗの遮断とが所定の時間間隔毎に繰り返されるように制御装置７１は電磁弁８３を開閉制御する。噴水Ｗの態様は前記第２実施形態と同様となる（図７参照）。この場合の電磁弁８３としては、比例制御式モーター弁を使用することで的確な滴下量及び噴出量が設定できる。尚、本実施形態において、電磁弁８３は吹付ノズル８４から流出する水（流体）の流量制御手段を構成する。
【００５１】
従って、本実施形態によれば、電磁弁８３（流量制御弁）の開度を制御することにより、吹付ノズル８４から流出する水の量（流量）を噴水Ｗの表面の一部に乱流を発生させるときの流量と、噴水Ｗの噴出を遮るときの流量との間で切り換えるようにした。そして、この吹付ノズル８４から流出した水により噴水Ｗの表面への水滴の滴下と噴水Ｗの遮断とをそれぞれ行うようにした。即ち、吹付ノズル８４により滴下ノズル６３を兼用するように、ひいては流体吹付装置８１により前記乱流発生装置１５を兼用するようにした。このため、乱流発生装置１５と流体吹付装置８１とを個別に設けるようにした場合に比べて、噴水装置１１の部品点数を低減させることができる。また、噴水装置１１の構成をより簡単にすることができる。
【００５２】
（別例）
尚、前記実施形態は以下のような別例に変更して実施してもよい。
・第１〜第３実施形態では、噴水Ｗの表面に水滴を滴下することにより当該噴水Ｗの表面に乱流を発生させるようにしたが、次のようにしてもよい。即ち、噴水Ｗの表面に接触する接触位置と当該噴水Ｗの表面に接触しない非接触位置との間を移動する接触部材（例えばピン）をノズル３１の下流側に設ける。この接触部材は例えば流体圧（空気圧や油圧）により作動させる。接触部材が噴水Ｗの表面に接触すると、この接触した部分の流れが乱れ、乱流が発生する。そして、この乱流が発生した部分には高輝度部Ｗｓが形成される。
【００５３】
・第１〜第３実施形態では、噴水Ｗの表面に水滴を滴下することにより当該噴水Ｗの表面に乱流を発生させるようにしたが、次のようにしてもよい。例えば、ノズル３１の下流側に空気噴射装置を設け、この空気噴射装置の作動により噴水Ｗの表面に空気や水等の流体を吹き付けて噴水Ｗの表面に乱流を発生させるようにしてもよい。
【００５４】
・第１〜第３本実施形態では、ノズル３１をボルト３５により蓋体２３に固定するようにしたが、例えばノズル３１を蓋体２３に螺合するようにしてもよい。このようにすれば、ノズル３１を蓋体２３にねじ込むだけで固定できるので、ノズル３１の取り付け作業効率を向上させることができる。また、ボルト３５が不要となることにより部品点数を低減させることができる。
【００５５】
・第１〜第３実施形態において、音楽又は音に同調するように設定された所定のシ−ケンスに基づいて噴水Ｗの態様を変化させるようにしてもよい。例えば音楽又は音に合わせて高輝度部Ｗｓを発生させたり、ノズル３１からの噴出パターンを変更したりするように、制御装置７１はパルスポンプ６１及び電磁弁８３をそれぞれ制御する。高輝度部Ｗｓの発生タイミングや噴水Ｗの噴射タイミングを緻密なコンビネーションでコントロールすることにより噴水Ｗの態様を音楽又は音に同調させることができる。即ち、高輝度部Ｗｓや噴水Ｗの噴出で音楽又は音に同調したリズムを表現することができる。従って、噴水Ｗによる演出効果をいっそう向上させることができる。また、噴水装置１１の設置空間に音楽又は音、光及びリズムによる展示空間を形成することができる。
【００５６】
・第１〜第３本実施形態では、本発明を噴水装置１１に応用したが、例えば水鉄砲に応用するようにしてもよい。このようにすれば、水鉄砲から噴出する水に色の変化や光の動き等の多彩な演出を付与することができる。
【００５７】
・本実施形態では、着色装置１４の着色フィルムを７色（虹色）としたが、虹色を構成する七色以外の色としてもよい。また、７色よりも少なくしてもよいし、多くしてもよい。
【００５８】
・第１〜第３本実施形態では、光ファイバケーブル５１の発光部５１ａからの光を噴水Ｗの始端部に入射させるようにしたが、発光部５１ａを例えば所定色の光を発する発光ダイオード（ＬＥＤ）に置き換えてもよい。この場合、光ファイバケーブル５１は不要となる。また、着色装置１４の光源として赤，青，白等の光を放出可能とした発光ダイオードを使用してもよい。
【００５９】
・第２及び３本実施例形態では、噴出流体（噴水Ｗ）の遮断手段として流体吹付手段（吹付ノズル８４）を使用したが、この手段に限られるものではない。例えば、前記上部カバー４３を取り付けた状態において、噴水Ｗに接触部材（棒材やピン等）を接触させたり水を加圧噴射したりして噴水Ｗの中心軸を吐出口４５の中心軸から転向させるようにする。即ち、噴水Ｗの噴出方向がカバー４１の吐出口４５から逸らされることにより、ノズル３１からの噴水Ｗは吐出口４５から外部に噴出不能となる。従って、噴水Ｗの噴出方向を間欠的に転向させることにより、噴水Ｗをカバー４１の吐出口４５から間欠的に噴出させることができる。
【００６０】
（付記）
次に前記実施形態及び別例から把握できる技術的思想を以下に追記する。
（イ）層流状態の噴出流体の始端部に光を入射し、この入射光を噴出流体の内部を通過させて噴出流体の終端部に導くようにした光伝送方法において、所定のタイミングで噴出流体の表面の一部に乱流を発生させるようにした光伝送方法。この構成によれば、噴出流体の表面において、乱流が発生したところの輝度が部分的に高まる。このため、乱流発生のタイミングを調節することにより変化に富んだ噴出流体を自在に演出することができる。
【００６１】
（ロ）前記噴出流体の表面に乱流を発生させた後、所定のタイミングで噴出流体を分断するようにした前記（イ）項に記載の光伝送方法。この構成によれば、噴出流体を間欠的に噴出させることが可能となる。このため、噴出流体を分断するタイミングを調節することにより、噴出流体の噴出間隔や噴出流体の長さを変更でき、いっそう変化に富んだ噴出流体を演出することができる。また、噴出流体を間欠的に噴出させることにより、噴出流体に動きや躍動感を与えることができる。
【００６２】
（ハ）所定のリズムに合わせて噴出流体の表面に乱流を発生させるようにした前記（イ）項又は前記（ロ）項に記載の光伝送方法。この構成によれば、部分的に形成される高輝度部により、リズムを表現することができる。
【００６３】
【発明の効果】
本発明によれば、噴出流体の表面の一部に乱流を発生させるようにしたことにより、噴出流体による演出効果を向上させることができる。
【図面の簡単な説明】
【図１】第１実施形態における噴水装置の概略構成図。
【図２】第１実施形態におけるノズル本体の要部断面図。
【図３】図２における１−１線端面図。
【図４】図２における２−２線断面図。
【図５】第２実施形態における噴水装置の概略構成図。
【図６】第２実施形態におけるノズル本体の要部断面図。
【図７】第３実施形態における噴水装置の概略構成図。
【図８】第３実施形態におけるノズル本体の要部断面図。
【符号の説明】
１１…噴水装置、１３…流体噴出装置を構成する噴出装置  、
３６…噴出口を構成するノズル孔、４５…吐出口、
５１ａ…発光部、６３…乱流発生手段及び流体接触手段を構成する滴下ノズル、８３…流量制御手段を構成する電磁弁、
８４…遮断手段及び流体吹付手段を構成する吹付ノズル、
Ｗ…噴出流体を構成する噴水。
【図１】
2004188351.tif 000003
【図２】
2004188351.tif 000004
【図３】
2004188351.tif 000005
【図４】
2004188351.tif 000006
【図５】
2004188351.tif 000007
【図６】
2004188351.tif 000008
【図７】
2004188351.tif 000009
【図８】
2004188351.tif 000010